(57)【特許請求の範囲】
【請求項１】
球状の内容物を収容する球状物用容器であって、
前記内容物の収容空間と該内容物よりも大径の吐出口とを備える容器本体と、
前記吐出口に設けられ、該吐出口から吐出される前記内容物の通過経路の少なくとも一部を覆うとともに前記通過経路を開放する形状に弾性変形自在のストッパ片とを有し、
前記ストッパ片が、前記吐出口の周方向に沿って円弧状に延びる板状に形成されていることを特徴とする球状物用容器。
【請求項２】
前記容器本体が、前記収容空間を形成する胴部と該胴部に連なる口部とを有するボトル形状に形成されるとともに前記口部に装着されて前記吐出口を構成する樹脂製のキャップを備える、請求項１に記載の球状物用容器。
【請求項３】
前記ストッパ片が、弾性体により円筒状に形成されて前記キャップの先端に固定される基体部に一体に設けられている、請求項２に記載の球状物用容器。
【請求項４】
前記基体部が前記キャップの先端から突出する突出筒部を備え、前記ストッパ片が該突出筒部の先端に一体に設けられるとともに、前記突出筒部の前記ストッパ片が設けられる部分における外周面に径方向外側に向けて突出する突起部が一体に設けられている、請求項３に記載の球状物用容器。
【請求項５】
前記基体部が前記キャップの先端から突出する突出筒部を備え、一対の前記ストッパ片が前記突出筒部の先端の互いに点対称となる位置に一体に設けられるとともに、前記突出筒部の一対の前記ストッパ片の中間部分における外周面に、それぞれ径方向外側に向けて突出する一対の突起部が一体に設けられている、請求項３に記載の球状物用容器。
【請求項６】
前記突出筒部の一対の前記突起部が設けられる部分における内周面に、それぞれ通常状態においては前記内容物の直径よりも広い間隔となり、前記突起部が径方向内側に向けて押されたときに前記内容物の直径よりも狭い間隔となる一対の保持リブが一体に設けられている、請求項５に記載の球状物用容器。
【請求項７】
前記ストッパ片が、前記キャップに一体に設けられている、請求項２に記載の球状物用容器。
【請求項８】
前記キャップに、弱化部を介して該キャップに一体に連結されて前記吐出口を閉塞する抜栓部が設けられている、請求項２〜７の何れか１項に記載の球状物用容器。
【発明の詳細な説明】
【技術分野】
【０００１】
本発明は、球状の内容物を収容する球状物用容器に関し、特に、内容物を１つずつ取り出すことができるようにしたものに関する。
【背景技術】
【０００２】
従来、球状の内容物を収容する容器としては、パウチ袋や広口瓶、蓋付きのケース体などが用いられていた（例えば特許文献１参照）。これらの容器では、蓋を空けた状態で容器を傾けて内容物を容器から吐出させて手に取り出したり、開口部から容器の内部に手を入れて内容物を直接取り出したりしていた。
【先行技術文献】
【特許文献】
【０００３】
【特許文献１】特開２０１２−１７１６８５号公報
【発明の概要】
【発明が解決しようとする課題】
【０００４】
しかしながら、従来の球状物用容器では、球状の内容物は転がり易いことから、容器を傾けて内容物を取り出そうとすると、内容物を１つずつ取り出したい場合でも容器から余分に内容物が吐出されてしまうことがある。また、容器の開口部から容器の内部に手を入れて内容物を直接取り出す場合では、他の内容物に手が触れてしまうおそれがあるという問題点がある。このような面から、球状の内容物を１つずつ容易に取り出すことが可能な容器が求められていた。
【０００５】
本発明は、このような問題点を解決することを課題とするものであり、その目的は、球状の内容物を容易に１つずつ取り出すことができる球状物用容器を提供することにある。
【課題を解決するための手段】
【０００６】
本発明の球状内容物用容器は、球状の内容物を収容する球状物用容器であって、前記内容物の収容空間と該内容物よりも大径の吐出口とを備える容器本体と、前記吐出口に設けられ、該吐出口から吐出される前記内容物の通過経路の少なくとも一部を覆うとともに前記通過経路を開放する形状に弾性変形自在のストッパ片とを有し、前記ストッパ片が、前記吐出口の周方向に沿って円弧状に延びる板状に形成されていることを特徴とする。
【０００７】
本発明の球状内容物用容器は、上記構成において、前記容器本体が、前記収容空間を形成する胴部と該胴部に連なる口部とを有するボトル形状に形成されるとともに前記口部に装着されて前記吐出口を構成する樹脂製のキャップを備えるのが好ましい。
【０００８】
本発明の球状内容物用容器は、上記構成において、前記ストッパ片が、弾性体により円筒状に形成されて前記キャップの先端に固定される基体部に一体に設けられた構成とすることができる。
【０００９】
本発明の球状内容物用容器は、上記構成において、前記基体部が前記キャップの先端から突出する突出筒部を備え、前記ストッパ片が該突出筒部の先端に一体に設けられるとともに、前記突出筒部の前記ストッパ片が設けられる部分における外周面に径方向外側に向けて突出する突起部が一体に設けられた構成とすることができる。
【００１０】
本発明の球状内容物用容器は、上記構成において、前記基体部が前記キャップの先端から突出する突出筒部を備え、一対の前記ストッパ片が前記突出筒部の先端の互いに点対称となる位置に一体に設けられるとともに、前記突出筒部の一対の前記ストッパ片の中間部分における外周面に、それぞれ径方向外側に向けて突出する一対の突起部が一体に設けられた構成とすることができる。
【００１１】
本発明の球状内容物用容器は、上記構成において、前記突出筒部の一対の前記突起部が設けられる部分における内周面に、それぞれ通常状態においては前記内容物の直径よりも広い間隔となり、前記突起部が径方向内側に向けて押されたときに前記内容物の直径よりも狭い間隔となる一対の保持リブが一体に設けられているのが好ましい。
【００１２】
本発明の球状内容物用容器は、上記構成において、前記ストッパ片が、前記キャップに一体に設けられている構成とすることができる。
【００１３】
本発明の球状内容物用容器は、上記構成において、前記キャップに、弱化部を介して該キャップに一体に連結されて前記吐出口を閉塞する抜栓部が設けられているのが好ましい。
【発明の効果】
【００１４】
本発明によれば、容器本体を傾けて吐出口から球状の内容物を吐出させる際に、内容物をストッパ片によって吐出口に一旦保持することができるので、内容物が吐出口から連続的に吐出されることを防止して、容器本体の吐出口から内容物を容易に１つずつ取り出すことができる。このように、本発明によれば、球状の内容物を容易に１つずつ取り出すことができる球状物用容器を提供することができる。
【図面の簡単な説明】
【００１５】
【図１】本発明の一実施の形態である球状物用容器の一部切り欠き断面図である。
【図２】（ａ）は図１に示す球状物用容器の要部を拡大して示す断面図であり、（ｂ）は同図（ａ）におけるＡ−Ａ線に沿う断面図である。
【図３】図１に示す球状物用容器の、ストッパ片によって球状の内容物を吐出口に保持した状態の断面図である。
【図４】（ａ）は図１に示す球状物用容器の変形例であって、基体部に突出筒部と突起部とを設けた場合を示す断面図であり、（ｂ）は同図（ａ）におけるＢ−Ｂ線に沿う断面図である。
【図５】図４に示す球状物用容器の、ストッパ片によって球状の内容物を吐出口に保持した状態の断面図である。
【図６】（ａ）は図１に示す球状物用容器のさらに他の変形例であって、基体部に一対のストッパ片を設けた場合を示す断面図であり、（ｂ）は同図（ａ）におけるＣ−Ｃ線に沿う断面図である。
【図７】図６に示す球状物用容器の、球状の内容物を吐出する様子を示す断面図である。
【図８】図６に示す球状物用容器の、保持リブにより次の内容物を保持する様子を示す断面図である。
【図９】（ａ）は一対のストッパ片をキャップと一体に形成した場合を示す断面図であり、（ｂ）は同図（ａ）におけるＤ−Ｄ線に沿う断面図である。
【図１０】図９に示す球状物用容器の、球状の内容物を吐出する様子を示す断面図である。
【発明を実施するための形態】
【００１６】
以下、図面を参照して本発明をより詳細に例示説明する。
【００１７】
図１に示す本発明の一実施の形態である球状物用容器１は、複数の球状の内容物Ｍを収容するとともに当該内容物Ｍを１つずつ取り出すことができるようにしたものである。この球状物用容器１は、例えば、栄養剤や薬剤等を収容した球状のカプセル、飴玉やボール状のガム等の球状の菓子、球状に固められた入浴剤や洗剤、液体の洗剤や入浴剤等を収容した球状のカプセルなど、球状の外形を有しているものであれば様々な球状物を内容物Ｍとして収容することができる。これらの内容物Ｍの直径は、例えば１５〜２５ｍｍ程度のものとすることができるが、これに限らず、種々の直径の内容物Ｍを収容することもできる。
【００１８】
図１に示すように、この球状物用容器１は容器本体２を有している。図示する場合では、容器本体２は有底筒状の胴部２ａと、この胴部２ａに連なる口部２ｂとを有するボトル形状に形成されている。このようなボトル形状の容器本体２は、例えばブロー成形により形成された合成樹脂製のものとすることができる。なお、容器本体２としては、合成樹脂製のボトルに限らず、合成樹脂製の他の形状のものや、ガラス瓶、パウチ袋などで構成された各種形状のものを採用することもできる。
【００１９】
容器本体２の胴部２ａの内部は収容空間Ｓとなっており、この収容空間Ｓに複数の内容物Ｍを収容することができる。一方、口部２ｂは内容物Ｍの直径よりも大きな内径を有する円筒状に形成されており、この口部２ｂを通して収容空間Ｓに内容物Ｍを入れ、また、収容空間Ｓから外部に内容物Ｍを吐出させることができる。
【００２０】
容器本体２の口部２ｂには合成樹脂製のキャップ３が装着されている。図２に示すように、このキャップ３は、内筒部３ａと外筒部３ｂとの間に下向きに開口する環状の装着溝３ｃを有しており、口部２ｂに打栓されて装着溝３ｃが口部２ｂにアンダーカット係合することにより、口部２ｂに強固に固定されている。
【００２１】
口部２ｂに固定されたキャップ３は、その内筒部３ａの内側部分に容器本体２の吐出口４を構成している。この吐出口４は、円筒形状に形成された内筒部３ａの軸心に沿って延びるとともに球状の内容物Ｍの直径よりも大きい内径に形成されている。すなわち、収容空間Ｓに収容された内容物Ｍを、吐出口４から容器本体２の外部に取り出すことができる。なお、吐出口４の内径は内容物Ｍの直径の２倍以下となっており、同時に２つ以上の内容物Ｍが吐出口４を通過することはできないようになっている。本実施の形態においては、吐出口４は、その内径が内容物Ｍの直径よりも僅かに大きい程度に形成されている。
【００２２】
キャップ３は抜栓部５を備えた抜栓タイプとすることができる。抜栓部５は薄い板状に形成され、キャップ３の内周面に沿って延びる抜栓部５よりも薄い線状の弱化部６を介してキャップ３の内周面に一体に連結されている。抜栓部５の容器本体２の外側を向く表面には指を係止可能なプルリング５ａが一体に設けられており、このプルリング５ａに指を掛けて引くことにより、弱化部６つまりキャップ３の内周面に沿って抜栓部５をキャップ３から切り離すことができるようになっている。このような構成により、流通時等においては、収容空間Ｓに内容物Ｍを収容した容器本体２の吐出口４を抜栓部５により閉塞（密封）しつつ、内容物Ｍを取り出す際には、プルリング５ａを引いて抜栓部５をキャップ３から切り離すことで吐出口４を開栓させることができる。
【００２３】
キャップ３はヒンジ７を介して蓋体８が開閉自在に装着されたヒンジキャップに構成することもできる。蓋体８は、内容物Ｍをその内部に保持可能な深さの有頂筒状（カップ状）に形成されており、キャップ３の上部に覆い被さって吐出口４を閉塞することができる。
【００２４】
本発明の球状物用容器１では、容器本体２を傾けて内容物Ｍを吐出口４から吐出させる際にその内容物Ｍを吐出口４で一旦保持するために、吐出口４にストッパ片１０を設けるようにしている。
【００２５】
図２（ａ）、（ｂ）に示すように、ストッパ片１０は、例えば、軟質ポリエチレン（低密度ポリエチレン）等の軟材質や、ゴム、エラストマー等の弾性体により、吐出口４の周方向に沿って円弧状に延びるとともに、吐出口４の開口端つまりキャップ３の先端から吐出口４の径方向内側に向けて斜め上方に向けて突出する薄い板状に形成されており、吐出口４から吐出される内容物Ｍの通過経路の少なくとも一部を覆っている。また、ストッパ片１０の径方向内側を向く内面は、球状の内容物Ｍの外形形状に対応した形状となるように湾曲している。このような構成により、ストッパ片１０は、吐出口４に入り込んだ内容物Ｍに当接して、当該内容物Ｍを吐出口４に保持することができる。また、ストッパ片１０は、吐出口４における内容物Ｍの通過経路を開放する形状となるように径方向外側に向けて弾性変形自在となっている。したがって、吐出口４に保持された内容物Ｍを、指で摘んで吐出口４から引き出すことにより、ストッパ片１０を弾性変形させて内容物Ｍを吐出口４から取り出すことができる。
【００２６】
なお、ストッパ片１０の形状は、内容物Ｍを吐出口４に確実に保持できるとともに、内容物Ｍが指で摘まれて吐出口４から引き出される際に弾性変形して内容物Ｍの保持を開放できる形状であれば、種々の変更可能である。
【００２７】
本実施の形態においては、ストッパ片１０は、図２（ａ）に示すように、軟質ポリエチレン等の軟材質やゴム、エラストマー等の弾性体、つまりストッパ片１０と同一の材質により円筒状に形成された基体部１１に一体に設けられている。より具体的には、基体部１１の軸方向端面には当該端面から径方向内側に延びるフランジ部１１ａが一体に設けられ、このフランジ部１１ａの内周面にストッパ片１０の周方向の中間部分の一部が一体に連結されている。つまり、ストッパ片１０は、その周方向の中央部分においてフランジ部１１ａを介して基体部１１に一体に連結され、その周方向の両端部分は基体部１１から離れた自由端となって径方向外側に容易に弾性変形できるようになっている。そして、この基体部１１がキャップ３の上端に形成された嵌合溝３ｄに嵌合固定されることにより、ストッパ片１０が吐出口４を構成するキャップ３に設けられる。このような構成とすることにより、ストッパ片１０を簡単な構成で容器本体２の吐出口４に設けることができる。また、ストッパ片１０をゴムやエラストマー等の弾性体で形成する場合には、ストッパ片１０を、キャップ３を構成する軟質ポリエチレン等の合成樹脂材料よりも弾性変形が容易な材質で形成することが可能となる。
【００２８】
次に、このような構成の球状物用容器１の使用方法について説明する。
【００２９】
球状の内容物Ｍは、容器本体２の口部２ｂにキャップ３が打栓される前に容器本体２の口部２ｂから収容空間Ｓに収容される。その後、抜栓部５を備えたキャップ３が口部２ｂに打栓されて内容物Ｍを収容した容器本体２が密封される。
【００３０】
この球状物用容器１からは球状の内容物Ｍを１つずつ取り出すことができる。内容物Ｍを取り出す際には、まず、蓋体８を開いてプルリング５ａを引き、抜栓部５をキャップ３から切り離して吐出口４を開放する。これにより、球状物用容器１が開封され、容器本体２の収容空間Ｓから内容物Ｍを取り出せる状態となる。
【００３１】
次に、蓋体８を開いた状態で容器本体２を傾ける。図３に示すように、容器本体２を傾けることで、容器本体２の収容空間Ｓに収容されている内容物Ｍを吐出口４に入り込ませるとともにストッパ片１０に当接させて吐出口４に保持させることができる。つまり、吐出口４の内容物Ｍが通過する通過経路上にはストッパ片１０が配置されているので、内容物Ｍはこのストッパ片１０に当接して吐出口４に保持されることになる。このとき、吐出口４は内容物Ｍの直径よりも僅かに大きい内径に形成されているので、吐出口４に２つの内容物Ｍが同時に入り込むことはなく、１つずつ順に吐出口４に入り込むことになる。なお、本実施の形態のおいては、吐出口４に入り込んだ内容物Ｍをストッパ片１０とフランジ部１１ａとの間で保持するようにしているが、フランジ部１１ａではなくキャップ３の内周面とストッパ片１０との間で保持するようにしてもよい。また、図示する場合では、容器本体２を倒立姿勢にまで傾けるようにしているが、内容物Ｍを吐出口４に導くことができる傾斜角度に傾ければよい。
【００３２】
図３に示すようにストッパ片１０によって吐出口４に内容物Ｍが保持された状態となると、次に、この内容物Ｍを指で摘んで吐出口４から引き出すことで、ストッパ片１０を弾性変形させて球状物用容器１から内容物Ｍを１つ取り出すことができる。ストッパ片１０によって保持されていた内容物Ｍが吐出口４から外部に取り出されると、次の内容物Ｍが吐出口４に入り込むことになるが、その際、ストッパ片１０がその弾性力により元の形状に復元するので、当該内容物Ｍはストッパ片１０により吐出口４に保持されて前の内容物Ｍに続いて吐出口４から吐出されることはない。
【００３３】
なお、図３に示すように、ストッパ片１０によって吐出口４に保持されている内容物Ｍを、指で摘んで引き出すのではなく、容器本体２を振ることで、吐出口４に保持されている内容物Ｍに対して次の内容物Ｍから吐出口４の外側に向けた衝撃荷重を加え、この荷重によりストッパ片１０を径方向外側に弾性変形させて、吐出口４に保持されていた内容物Ｍを吐出口４から外部に吐出させることもできる。この場合においても、ストッパ片１０によって保持されていた内容物Ｍが吐出口４から吐出されると、次の内容物Ｍはストッパ片１０により吐出口４に保持されるので、内容物Ｍを吐出口４から１つずつ吐出させることができる。
【００３４】
このように、本発明の球状物用容器１では、容器本体２を傾けて吐出口４から球状の内容物Ｍを吐出させる際に、ストッパ片１０によって内容物Ｍを吐出口４に一旦保持することができるので、内容物Ｍが吐出口４から連続的に吐出されることを防止することができる。これにより、容器本体２の吐出口４から内容物Ｍを容易に１つずつ取り出すことができる。
【００３５】
また、本実施の形態のように、容器本体２の吐出口４を密封する抜栓部５を備えたキャップ３にストッパ片１０を設けた構成とすることにより、内容物Ｍを一旦保持するためのストッパ片１０を簡単な構成かつ低コストで吐出口４に設けることができる。
【００３６】
図４（ａ）は図１に示す球状物用容器の変形例であって、基体部に突出筒部と突起部とを設けた場合を示す断面図であり、図４（ｂ）は同図（ａ）におけるＢ−Ｂ線に沿う断面図である。また、図５は図４に示す球状物用容器の、ストッパ片によって球状の内容物を吐出口に保持した状態の断面図である。なお、図４、図５においては、前述した部材に対応する部材には同一の符号を付し、再度の説明は適宜省略する。
【００３７】
図１〜図３に示す場合では、ストッパ片１０を、基体部１１の軸方向端部から径方向内側に向けて延びるフランジ部１１ａの内周端に一体に設ける構成としている。これに対して、図４、図５に示す変形例では、基体部１１を、キャップ３の開口端側となる先端（上方端）から当該基体部１１と同軸に軸方向（上方）に向けて突出する突出筒部１１ｂが一体に設けられた構成とし、この突出筒部１１ｂの先端にストッパ片１０を一体に設けるようにしている。この構成においても、ストッパ片１０は、その周方向の中間部分の一部において突出筒部１１ｂに一体に連結され、その周方向の両端部分は基体部１１から離れた自由端となって径方向外側に容易に弾性変形できる構成とされている。なお、図４（ｂ）に示すように、本実施の形態においては、ストッパ片１０の基体部１１との連結部分には、ストッパ片１０それ自体よりも大きな曲率で径方向外側に向けて湾曲する湾曲部１０ａが一体に設けられている。
【００３８】
また、図４、図５に示す変形例では、突出筒部１１ｂのストッパ片１０が設けられる部分における外周面には、径方向外側に向けて突出する突起部１１ｃが一体に設けられている。本実施の形態では、突起部１１ｃは、ストッパ片１０の周方向の中央位置つまり湾曲部１０ａが設けられた周方向位置に対応した位置に設けられている。そして、この突起部１１ｃを突出筒部１１ｂの径方向内側に向けて押すことにより、突出筒部１１ｂとともにストッパ片１０の湾曲部１０ａを径方向内側に向けて凹むように弾性変形させて、ストッパ片１０をその湾曲部１０ａを中心として径方向外側に向けて開く方向に弾性変形させることができるようになっている。
【００３９】
このような変形例の構成の球状物用容器１においても、図５に示すように、内容物Ｍを取り出すために容器本体２を傾けることにより、ストッパ片１０によって内容物Ｍを吐出口４に保持することができる。そして、この状態から、突起部１１ｃを径方向内側に向けて押すことにより、ストッパ片１０を径方向外側に向けて開く方向に弾性変形させて、内容物Ｍを吐出口４から外部に吐出させることができる。つまり、ストッパ片１０によって吐出口４に保持された内容物Ｍを、指で摘んで引き出すことなく、突起部１１ｃを押すだけの簡単な操作でストッパ片１０による保持を解除させて吐出口４から内容物Ｍを外部に吐出させることができる。
【００４０】
図６（ａ）は図１に示す球状物用容器のさらに他の変形例であって、基体部に一対のストッパ片を設けた場合を示す断面図であり、図６（ｂ）は同図（ａ）におけるＣ−Ｃ線に沿う断面図である。また、図７は図６に示す球状物用容器の、球状の内容物を吐出する様子を示す断面図であり、図８は図６に示す球状物用容器の、保持リブにより次の内容物を保持する様子を示す断面図である。なお、図６〜図８においては、前述した部材に対応する部材には同一の符号を付し、再度の説明は適宜省略する。
【００４１】
図６〜図８に示す変形例では、基体部１１に図４、図５に示す変形例と同様の突出筒部１１ｂを一体に形成するとともに、その突出筒部１１ｂの先端の互いに吐出口４の軸心を中心として点対称となる位置つまり互いに対向する位置に一対のストッパ片１０を設けるようにしている。これらのストッパ片１０は、図１〜図５に示す場合に比べて周方向幅が短い円弧状に形成されるが、その周方向の中央部分において突出筒部１１ｂに一体に連結されるとともに周方向両端が自由端である点で図１〜図５に示すものと同一の構成を有している。
【００４２】
また、突出筒部１１ｂの一対のストッパ片１０の中間部分における外周面つまりストッパ片１０に対して９０度ずれた位置における外周面には、それぞれ径方向外側に向けて突出する突起部１１ｃが一体に設けられている。そして、これら一対の突起部１１ｃを互いに接近させるように指で挟んで突出筒部１１ｂの径方向内側に向けて押すことにより、突出筒部１１ｂを楕円形状に弾性変形させて互いに対向するストッパ片１０の間隔を開くことができるようになっている。
【００４３】
このような変形例の構成の球状物用容器１においても、内容物Ｍを取り出すために容器本体２を傾けることにより、一対のストッパ片１０によって内容物Ｍを吐出口４に保持することができる。また、この状態から、一対の突起部１１ｃを互いに接近させるように指で挟み込んで押すことにより、図７に示すように、一対のストッパ片１０の間隔を開いて内容物Ｍを吐出口４から外部に吐出させることができる。つまり、一対のストッパ片１０によって吐出口４に保持された内容物Ｍを、指で摘んで引き出すことなく、一対の突起部１１ｃを互いに接近させるように指で挟み込むように押すだけの簡単な操作でストッパ片１０による保持を解除させて吐出口４から内容物Ｍを外部に吐出させることができる。
【００４４】
この変形例では、突出筒部１１ｂの一対の突起部１１ｃが設けられる部分における内周面には、それぞれ保持リブ１１ｄが設けられている。これらの保持リブ１１ｄは、互いに対向するように突出筒部１１ｂの内周面から突出している。これらの保持リブ１１ｄの径方向に沿う方向の間隔は、通常状態つまり突起部１１ｃが押されていない状態においては内容物Ｍの直径よりも広くなっている。したがって、通常状態においては、内容物Ｍは保持リブ１１ｄに保持されることなく吐出口４を通過可能である。
【００４５】
一方、一対のストッパ片１０により保持された内容物Ｍを吐出させるために、一対の突起部１１ｃが径方向内側に向けて押されて突出筒部１１ｂが楕円形状に弾性変形したときには、これらの保持リブ１１ｄの径方向に沿う方向の間隔は、内容物Ｍの直径よりも狭くなる。したがって、突起部１１ｃが押されることによりストッパ片１０による保持が開放されて、ストッパ片１０により保持された内容物Ｍが外部に吐出されても、図８に示す二点鎖線で示すように、次の内容物Ｍは保持リブ１１ｄにより保持されて吐出口４から連続して吐出されることがない。つまり、内容物Ｍを吐出させるために突起部１１ｃが押され、ストッパ片１０が開放された状態に維持されたとしても、保持リブ１１ｄにより内容物Ｍが保持されて、ストッパ片１０が開放された吐出口４を通して内容物Ｍが連続して外部に吐出することが防止される。このような構成により、球状物用容器１から内容物Ｍを容易かつ確実に１つずつ取り出すことができる。
【００４６】
図９（ａ）は、一対のストッパ片をキャップと一体に形成した場合を示す断面図であり、図９（ｂ）は同図（ａ）におけるＤ−Ｄ線に沿う断面図である。また、図１０は図９に示す球状物用容器の、球状の内容物を吐出する様子を示す断面図である。なお、図９、図１０においては、前述した部材に対応する部材には同一の符号を付し、再度の説明は適宜省略する。
【００４７】
前記実施の形態においては、ストッパ片１０を基体部１１と一体に形成されて基体部１１とともにキャップ３に装着される構成としているが、図９、図１０に示すように、ストッパ片１０をキャップ３と一体に形成した構成とすることもできる。本実施の形態では、キャップ３とストッパ片１０を軟質ポリエチレン等の比較的柔軟な合成樹脂材料で一体に形成するようにしているが、これらを他の合成樹脂材料で一体に形成することもできる。
この場合、キャップ３には、突出筒部１１ｂに対応する部分として軸方向に突出する円筒状の突出筒部３ｅが一体に設けられ、この突出筒部３ｅの先端に一対のストッパ片１０が一体に設けられている。これらのストッパ片１０は、図６に示す場合と同様、互いに吐出口４の軸心を中心として点対称に配置され（図９（ｂ）参照）、図１〜図８に示す場合と同様に、吐出口４に内容物Ｍを保持することができるようになっている。
【００４８】
また、突出筒部３ｅの一対のストッパ片１０の中間部分における外周面つまりストッパ片１０に対して９０度ずれた位置における外周面には、それぞれ径方向外側に向けて突出する突起部３ｆが一体に設けられている。これらの突起部３ｆは、図６に示す変形例における一対の突起部１１ｃに対応するものであり、これら一対の突起部３ｆを互いに接近させるように指で挟み込んで押すことにより、突出筒部３ｅを楕円形状に弾性変形させて互いに対向するストッパ片１０の間隔を開くことができる。したがって、一対のストッパ片１０により吐出口４に内容物Ｍが保持された状態において、これら一対の突起部３ｆを押すことにより、図１０に示すように、ストッパ片１０の間隔を開いて内容物Ｍを吐出口４から吐出させることができる。
【００４９】
本発明は前記実施の形態に限定されるものではなく、その要旨を逸脱しない範囲で種々変更可能であることはいうまでもない。
【００５０】
例えば、前記実施の形態においては、ストッパ片１０は、弾性体またはキャップ３と同一の合成樹脂材料で形成されているが、これに限らず、容物Ｍを保持可能であるとともに弾性変形により当該保持を解除することができるものであれば、他の材質で形成されたものとすることもできる。
【符号の説明】
【００５２】
１    球状物用容器
２    容器本体
２ａ  胴部
２ｂ  口部
３    キャップ
３ａ  内筒部
３ｂ  外筒部
３ｃ  装着溝
３ｄ  嵌合溝
４    吐出口
５    抜栓部
５ａ  プルリング
６    弱化部
７    ヒンジ
８    蓋体
１０    ストッパ片
１０ａ  湾曲部
１１    基体部
１１ａ  フランジ部
１１ｂ  突出筒部
１１ｃ  突起部
１１ｄ  保持リブ
Ｍ    内容物
Ｓ    収容空間
【図１】
0006570342.tif 000002
【図２】
0006570342.tif 000003
【図３】
0006570342.tif 000004
【図４】
0006570342.tif 000005
【図５】
0006570342.tif 000006
【図６】
0006570342.tif 000007
【図７】
0006570342.tif 000008
【図８】
0006570342.tif 000009
【図９】
0006570342.tif 000010
【図１０】
0006570342.tif 000011